(57)【要約】  【課題】不織布が脱落することなく確実に装着できる歯間清掃具を提供する。  【解決手段】横長で平坦な帯板状のホルダー本体１の両端に把持用の摘み３を設け、該ホルダー本体の幅方向中央部には長手方向の中心軸に沿って開口する長溝５を設けると共に、該長溝とホルダー本体の側縁６間に形成するステイック片７の中間部には該ステイック片の外表面よりも窪ませて設けた凹み溝８を設け、該凹み溝を基準としてホルダー本体１が屈曲自在となるように構成した。【選択図】    図１
0003117046.tif 000002
【実用新案登録請求の範囲】
【請求項１】
横長で平坦な帯板状のホルダー本体の両端に把持用の摘みを設け、該ホルダー本体の幅方向中央部には長手方向の中心軸に沿って開口する長溝を設けると共に、該長溝とホルダー本体の側縁間に形成するステイック片の中間部には該ステイック片の外表面よりも窪ませて設けた凹み溝を設け、該凹み溝を基準としてホルダー本体が屈曲自在となるように構成したことを特徴とする歯間清掃具。
【請求項２】
前記摘みの略中央部には該摘みを貫通して開口する貫通穴を設けたことを特徴とする請求項1記載の歯間清掃具。
【考案の詳細な説明】
【技術分野】
【０００１】
本考案は、乳幼児や寝たきり老人等の口内歯間の消毒や歯垢除去を行うための歯間清掃具に関する。
【背景技術】
【０００２】
従来、乳幼児や寝たきり老人は、自らの手によって歯磨きを行うことが困難なことから、口内に雑菌が繁殖したり食べ物粕が歯垢となって堆積し口臭を放ったり、さらには虫歯の進行を早める原因となることから、食後第３者（親又は介護者）によって口内の歯間清掃を行っている。
【０００３】
上記歯間の清掃を行う用具としては、例えば実開昭５９−４４４１７号公報に示す歯ブラシ状の歯清掃具や特開２００２−３３６２７８号公報に示す口腔用清掃具などが知られている。
【０００４】
また、近年では単に食べ物粕や歯垢を除去するだけでは十分な予防とはならないことから、実登３０２０７０３号公報に示すように紙又は不織布に消毒薬を含浸させたものを棒材の先端に装着して口内を清掃するものや特開平２００２−３３６２８０号公報に示すように一端がＹ字状に二股となったステイックに消臭剤や抗菌剤を含浸させた不織布を装着して口内の清掃を行うものも提案されている。
【０００５】
また、清掃具に用いる不織布としてはメッシュ構造の生地に消毒剤や抗菌剤の他清掃後の薬用効果を高めるための抗炎症剤やキシリトールなどを含浸させた８ないし１０センチ四方の生地を密封包装したものが販売されている。
【０００６】
【特許文献１】実開昭５９−４４４１７号公報（図２）
【０００７】
【特許文献２】特開２００２−３３６２７８号公報（図２）
【０００８】
【特許文献３】実登３０２０７０３号公報（図１）
【０００９】
【特許文献４】特開２００２−３３６２８０号公報（図１）
【考案の開示】
【考案が解決しようとする課題】
【００１０】
上述した如く、従来の歯間清掃具は単に歯ブラシを改良するか又は消毒剤や抗菌剤を含浸させた不織布を棒状ステイックの先端に装着して歯間に堆積した食べ物粕や歯垢を擦りながら拭き取るものであるが、前記不織布の装着が不十分だとこれが清掃時口内で脱落して該口内を傷付ける場合もある。
【００１１】
特に乳幼児の場合は、親の手によって歯間清掃を行うのが普通であるが口内に清掃具を挿入すること自体嫌がることから口の開け方が小さくしかも不織布を噛み取って飲み込む虞もある。このような時には親が直接乳幼児の口内に指を突っ込んで脱落した不織布を引き出すことも多く、そのうえ、再三にわたって不織布を指で摘んで巻き直すことから不織布自体が不衛生となり易い。
【００１２】
この対策として、親又は介護者が指の先端に直接不織布を巻き付けて口内歯間の食べ物粕や歯垢を拭き取ることも考えられるが、他人の口内に直接指先を挿入することから不潔かつ危険である。
【００１３】
そこで、本考案はかかる実態に鑑み前記不織布が清掃用ステイックに対して確実に装着でき、万一噛み込まれたとしても前記ステイックから脱落することなく安全に口内を清掃できる歯間清掃具を提供することを目的とする。
【課題を解決するための手段】
【００１４】
上記目的を達成するために本考案は、横長で平坦な帯板状のホルダー本体１の両端に把持用の摘み３を設け、該ホルダー本体の幅方向中央部には長手方向の中心軸に沿って開口する長溝５を設けると共に、該長溝とホルダー本体の側縁６間に形成するステイック片７の中間部には該ステイック片の外表面よりも窪ませて設けた凹み溝８を設け、該凹み溝を基準としてホルダー本体１が屈曲自在となるように構成したことを特徴とする（請求項１）。
【００１５】
さらに、前記摘み３の略中央部には該摘みを貫通して開口する貫通穴１１を設けることもできる（請求項２）。
【考案の効果】
【００１６】
本考案によれば、親又は介護者がホルダー本体１に歯間清掃用の不織布９を巻き付けた後該ホルダー本体を二つ折りにするという簡単な操作で確実に不織布９を装着・保持できると共に、前記ホルダー本体の折り曲げにより不織布９が抜け止め状態となるので口内の歯間の清掃時ステイック片７から脱落することなく安全に清掃できる（請求項１）。
【００１７】
また、ホルダー本体１の両端に設けた摘み３には貫通穴１０を開口したことにより該貫通穴を介して摘んだ指の腹同士が密着することによってホルダー本体１を確実に把持でき、よって歯間の清掃も好適に実施できる（請求項２）。
【考案を実施するための最良の形態】
【００１８】
ホルダー本体１の両端に把持用の摘み３を設け、該ホルダー本体の幅方向中央部に長溝５を設け、さらに該長溝とホルダー本体の側縁６間に形成するステイック片７の中間部には該ステイック片の外表面よりも窪ませて設けた凹み溝８を設ける。これにより歯間清掃用の不織布を確実に装着できる。
【実施例１】
【００１９】
以下、本考案の実施例を図１ないし図５により説明する。平面視において横長で平坦な帯板状のホルダー本体１の両端部には、該本体幅よりも括れた幅の柄部２と該柄部よりも外端に把持用摘み３が一体形成されている。また、ホルダー本体１の幅方向略中央部には長手方向の中心軸４に沿って細長に開口する長溝５が設けられている。
【００２０】
さらに、前記長溝５とホルダー本体１の側縁６間に形成するステイック片７の略中間部には該ステイック片の外表面よりもやや窪ませて設けた凹み溝８（図２）が設けられており、ホルダー本体１はこの凹み溝８を基準として略１８０度の範囲で二つ折りに屈曲自在となっている。即ち、ホルダー本体１の折り曲げ時凹み溝８部分がホルダー本体の厚さよりも薄いため必然的に前記凹み溝部で折り曲がることとなる。
【００２１】
また、ホルダー本体１の両端部に形成の摘み３の表面は使用時親指と人差し指で挟持し易いように適度の平面面積（少なくとも０．５平方センチメートル）を有すると共に、その裏面の中央部は皿状にやや窪ませて成形してあり後述する口内の清掃時指の腹が当接して挟持し易いようになっている。なお、ホルダー本体１は全体の厚さを概ね１から５ミリメートル位に設定すると好適で、これよりも薄いと使用時に反り易く、また、厚いと口内への挿入時かさばって使い難くなる。
【００２２】
また、ホルダー本体１の材料は、例えば柔軟性に優れしかも適度の強度と耐熱性を有するポリプロピレン樹脂系又はポリエチレン系の合成樹脂で成形するのが好ましく、また本考案ホルダー本体１に適用し装着する不織布は、一般に市販されている消毒剤ならびに抗菌剤その他の薬剤を含浸したメッシュ構造の不織布で包装体内に密封包装されたものを用いることで説明したが、これに限らず長溝５内に挿入し巻着可能なものであればその種類や形状は限定されないことは言うまでもない。
【００２３】
次いで本考案の作用について説明する。まず、予めホルダー本体１と別途市販の各種薬剤含浸の不織布を包装体から取り出して準備した後、ホルダー本体１の一方の摘み部３を片手の親指１２と人差し指１３で挟持しほぼ水平に保持した状態で前記不織布をもう一方の手に持ち、ホルダー本体の長溝５にその一辺９ａ側を挿入し（図３ａ）、約１／２程度を挿入したところでもう一方の辺９ｂを前記ステイック片７に折り返すように引っ掛け（図３ｂ）。次いでホルダー本体１を回しながら残りの辺全てを巻き付ける。（このとき、前記不織布の折り返し位置は一般に包装体内から取り出したときに予め付いている折り目を目安とするとよい。）
【００２４】
そして、巻き終わった状態でステイック片７の中間部に形成した凹み溝８を基準として両端の摘み３同士が対向する方向に折り曲げて密着させ、この状態で前記摘み部に形成した窪み部に親指と人差し指を当接させて挟持する（図４）。よって、不織布の端辺９ａ、９ｂは折り曲げられた内側に位置し、巻き付け状態が弛むことなく確実に保持される。なお、この場合摘み３の表面に折り曲げ持相互に係合する係合手段（例えば、係合突起と係合穴等）を設けておくと歯間の清掃時前期摘み部の挟持が弛んでもホルダー本体１の折り曲げ状態が解かれることがない。
【００２５】
以上により、ホルダー本体１の折り曲げによって形成される折り曲げ先端部１０は口内に挿入便利なようにやや尖った態様となり、この状態で口内に挿入して歯間を擦り歯垢や食べ物粕を拭き取る（図５）。そして、もしも不織布９が汚れた場合は一旦不織布の巻取りを解し汚れのない面が表になるようにして使用すればよくこれを数回繰り返す。
【実施例２】
【００２６】
図６は、ホルダー本体１両端の摘み３ａの略中央部に円形又は多角形又は長方形の貫通穴１１を開口させた他の実施例で、このようにするとホルダー本体１を把持して口内の清掃をするときに前記貫通穴を介して親指１２と人差し指１３の腹同士が図７に示すように密着してホルダー本体１の把持がより確実にでき、よって好適に歯間の清掃を行うことができる。
【００２７】
また、図８は別の実施例の全体図でホルダー本体１全体を予め反らして成型したものである。このようにすると、不織布９をホルダー本体に巻き付けて該ホルダー本体１を二つ折りにしたときに不織布９の巻き終わり部が前記反り部の弾力（スナップ）によってその合わせ面同士が程よく密着するのでより強固に装着状態を保持できる。
【００２８】
以上、本考案の実施例について説明したが、本考案ホルダー本体１の形状ならびに長溝５の形状や大きさは乳幼児用、寝たきり老人用など適応対象の不織布に合わせて適宜設定すればよく、本考案の要旨の範囲において各種の変形態様が可能であることは言うまでもない。
【図面の簡単な説明】
【００２９】
【図１】本考案歯間清掃具の平面図である。
【図２】本考案歯間清掃具の断面図である。
【図３】不織布装着時の説明図である。
【図４】不織布の装着状態を示す説明図である。
【図５】使用状態の概要図である。
【図６】他の実施例の摘み部拡大図である。
【図７】他の実施例の摘み部把持状態の説明図である。
【図８】別の実施例の説明図である。
【符号の説明】
【００３０】
１  ホルダー本体
２  柄部
３  摘み
４  中心軸
５  長溝
７  ステイック片
８  凹み溝
９  不織布
【図１】
0003117046.tif 000003
【図２】
0003117046.tif 000004
【図３】
0003117046.tif 000005
【図４】
0003117046.tif 000006
【図５】
0003117046.tif 000007
【図６】
0003117046.tif 000008
【図７】
0003117046.tif 000009
【図８】
0003117046.tif 000010